(57)【要約】  使用の際、加温加湿ガスをユーザに提供するシステムの一部として使用されるのに適したガス供給ユニットの一部をなすファンユニットであって、ファンユニットは、入口孔及び出口通路を備えたケーシングを有し、出口通路は、出口孔を有し、ファンユニットは、ケーシング内に配置され、使用の際、ファンを回転駆動するモータに連結できるようになったファンを更に有し、ファンは、ガスを入口孔からケーシング内に引き込み、これらガスをガス流として出口通路経由でケーシングから送り出し、出口通路は、出口孔とは独立していて、出口通路を通るガス流の経路に対して角度をなして配置された少なくとも１つのバイパス通気穴を更に有する、ファンユニット。
2011502019.tif 000002
【特許請求の範囲】
【請求項１】
使用の際、加温加湿ガスをユーザに提供するシステムの一部として用いられるのに適したガス供給ユニットの一部をなすファンユニットであって、
入口孔及び出口通路を備えたケーシングを有し、前記出口通路は、出口孔を含み、
前記ケーシング内に配置され、使用の際、前記ファンを回転駆動するモータに連結できるようになったファンを有し、使用の際、前記ファンは、前記入口孔からガスを前記ケーシング内に引き込み、前記出口通路を通って前記ガスを前記ケーシングからガス流として送り出すように構成されているファンユニットにおいて、
前記出口通路は、前記出口孔とは独立し、前記出口通路を通る前記ガス流の経路に対して角度をなして配置された少なくとも１つの通気穴を有する、
ことを特徴とするファンユニット。
【請求項２】
前記出口通路及び前記少なくとも１つの通気穴は、前記出口通路の前記出口が実質的に塞がれた場合、使用の際に１つ又は複数個の前記通気穴を通る流量が前記出口通路を通る流量に一致し、その時点で、サージの開始が１つ又は複数の通気穴なしの実質的に類似すると共に実質的に塞がれた出口通路内で生じるように構成されている、
請求項１記載のファンユニット。
【請求項３】
前記出口通路は、複数個の前記通気穴を有する、
請求項１記載のファンユニット。
【請求項４】
前記出口孔の断面積は、個々の前記通気穴のうちの任意の１つの断面積よりも約３桁大きい、
請求項３記載のファンユニット。
【請求項５】
前記出口孔の断面積は、前記通気穴の全断面積よりも約１桁〜２桁大きい、
請求項３又は４記載のファンユニット。
【請求項６】
前記通気穴は、前記通路の２つの互いに反対側の側部に配置されている、
請求項５記載のファンユニット。
【請求項７】
実質的に同数の通気穴が、前記互いに反対側の側部の各々に形成されている、
請求項６記載のファンユニット。
【請求項８】
前記通気穴の総数は、６５〜７５である、
請求項７記載のファンユニット。
【請求項９】
前記ガス流の前記経路に対する前記通気穴の前記角度は、実質的に垂直である、
請求項８記載のファンユニット。
【請求項１０】
前記通気穴の各々は、他の前記通気穴と実質的に同一サイズである、
請求項９記載のファンユニット。
【請求項１１】
前記出口孔の断面積は、実質的に２１０〜２７０ｍｍ2である、
請求項１０記載のファンユニット。
【請求項１２】
前記出口通路の内面に設けられた前記通気穴の各々の断面積は、実質的に０．２２ｍｍ2〜０．２６ｍｍ2である、
請求項１１記載のファンユニット。
【請求項１３】
前記出口通路の内面に設けられた前記通気穴の全断面積は、実質的に１５．００ｍｍ2〜１７．００ｍｍ2である、
請求項１２記載のファンユニット。
【請求項１４】
前記通気穴は、実質的に５°〜１５°の抜き勾配を備えている、
請求項１３記載のファンユニット。
【請求項１５】
前記通気穴は、実質的に１０°の抜き勾配を備えている、
請求項１３記載のファンユニット。
【請求項１６】
前記ケーシングは、全体として円形の形態であり、前記出口通路は、前記ケーシングに対して接線の関係をなしている、
請求項１５記載のファンユニット。
【請求項１７】
前記出口孔の断面は、全体として長方形である、
請求項１６記載のファンユニット。
【請求項１８】
前記入口孔は、使用の際、前記ケーシングの下側フェースに配置される、
請求項１７記載のファンユニット。
【請求項１９】
前記入口孔は、全体として、前記ケーシングの中心に配置される、
請求項１８記載のファンユニット。
【請求項２０】
前記ファンは、羽根車ユニットである、
請求項１９記載のファンユニット。
【請求項２１】
前記羽根車ユニットは、使用の際、前記羽根車ユニットを駆動するモータに連結できるようになったスピンドルを有し、前記スピンドルは、前記ケーシングの底部から出ている、
請求項２０記載のファンユニット。
【発明の詳細な説明】
【技術分野】
【０００１】
本発明は、特に、例えば閉塞性睡眠時無呼吸症候群（ＯＳＡ）、いびき又は慢性閉塞性肺疾患（ＣＯＰＤ）等の疾患の治療のために陽圧でのガスの供給を必要とする患者又はユーザに呼吸補助を提供するガス供給／ガス加湿器械に関する（しかしながら、これだけではない）。特に、本発明は、ガス供給器械に用いられ、使用の際、ガス供給器械と一体化される圧縮機又はブロワに関する。
【０００２】
治療目的で患者に加湿ガス流を提供する器械又はシステムは、当該技術分野においては周知である。この種の療法、例えばＣＰＡＰ療法を提供するシステムは、ガスを所要の圧力でブロワ（圧縮機、補助呼吸ユニット、ファンユニット、流れ発生器又は圧力発生器とも呼ばれる）から、ブロワから見て下流側に位置する加湿器チャンバに送り出す構造を有している。ガスは、加湿器チャンバ内の加温加湿空気中に通されると、水蒸気で飽和状態になる。次に、このようなガスを加湿器から見て下流側のユーザ又は患者にガス導管経由で送り出す。
【０００３】
加湿ガスをモジュール式システムから送り出すのが良く、このようなモジュール式システムは、導管を介して直列に連結された別々のユニット（即ち、加湿器チャンバ／ヒーターと呼吸ユニット／ブロワが別々のアイテムであるシステム）から組み立てられている。ユーザ１が公知（先行技術）のモジュール式補助呼吸ユニット・加湿器システムから空気を受け取っている状態の略図が、図１に示されている。加圧空気は、補助呼吸ユニット又はブロワ２ａからコネクタ導管１０を介して加湿器チャンバ４ａに提供される。加湿加温加熱ガスは、ユーザ導管３を通って加湿器チャンバ４ａから出て、ユーザインターフェイス５を通って患者又はユーザ１に提供される。
【０００４】
一体形ブロワ／加湿器システムを用いることが普及しつつある。典型的な一体形システムは、加圧ガス流を提供する主ブロワ又は補助呼吸ユニットと、ブロワユニットと結合し又はブロワユニットにしっかりと連結される加湿器ユニットとから成る。この結合は、例えば、スライドオン又はプッシュ連結方式によって行われ、その結果、加湿器は、主ブロワユニットの定位置にしっかりと保持されるようになっている。ユーザ１が、公知先行技術の一体形ブロワ／加湿器ユニット６から空気を受け取っている状態の略図が図２に示されている。このシステムは、加湿器チャンバ４ａが一体形ユニット６を形成するようブロワユニットと一体化されている点を除き、図１に示されているモジュール式システムと同一の仕方で動作する。
【０００５】
図１及び図２に示されているユーザインターフェイス５は、ユーザ１の鼻を覆う鼻用マスクである。しかしながら、これら形式のシステムにおいて、図示の鼻用マスクに代えて、口と鼻の両方を覆うマスク、フルフェースマスク、鼻カニューレ又は任意他の適当なユーザインターフェイスを用いることができる。鼻専用インターフェイス又は口用マスクも又使用できる。また、導管の患者又はユーザ側端部は、気管切開取り付け具又は気管挿管に連結可能である。
【０００６】
米国特許第７，１１１，６２４号明細書は、一体形システムの詳細な説明を含む。「スライドオン」水チャンバが、使用の際、ブロワユニットに連結される。この設計の変形例は、チャンバが使用の際、一体形ユニットの一部分内に収納されるスライドオン又はクリップオン設計である。この種の設計の一例は、国際公開第２００４／１１２８７３号パンフレットに記載されており、このパンフレットは、ブロワ又は流れ発生器５０及び関連の加湿器１５０を記載している。
【０００７】
これらシステムの場合、最も一般的な動作モードは、次の通りであり、即ち、空気がブロワにより入口を通ってケーシング内に引き込まれ、このケーシングは、システムの少なくともブロワ部分を包囲すると共に収納している。ブロワは、流れ発生器出口からの空気流を加熱し、これを加湿器チャンバ内に送り込む。空気流は、加湿器チャンバ内で加温加湿され、そして出口を通って加湿器チャンバから出る。フレキシブルホース又は導管が加湿器出口に直接的又は間接的に連結され、加温加湿ガスは、導管を通ってユーザに送られる。これは、図２に概略的に示されている。
【０００８】
インペラ型ファン又はブロワが、この種の呼吸システムに最も一般的に用いられている。インペラ羽根ユニットが、インペラハウジング内に収納されている。インペラ羽根ユニットは、中央スピンドルによって或る形態の駆動装置に連結されている。典型的なインペラハウジングが、図３及び図４に示されている。使用に際し、ハウジング内に配置される典型的な回転型インペラ羽根ユニットが、図５及び図６に示されている。空気は、孔を通ってインペラユニットの中央に吸い込まれ、次に、回転型インペラユニットの羽根によりハウジングの中央から出口通路（通常、ハウジングの一方の側に配置されている）に向かって外方に送り出される。呼吸システムに用いるのに適したインペラブロワが、米国特許第６，８８１，０３３号明細書に記載されている。
【０００９】
一般に、家庭ユーザは、睡眠時無呼吸症候群又はこれに類似した病気の治療を受けている。鼻用マスク又は口と鼻の両方を覆うマスクを用いることが最も一般的である。鼻用マスクを用いる場合、システムの使用が効率的になるように（口からの漏れ及び関連の圧力降下が実質的に減少し又はなくなるように）閉じた口に絆創膏又はテープを当てるのが一般的である。ユーザの呼吸によって定められた流量範囲に関し、ＣＰＡＰ器械の圧力発生器は、ガスの流れを実質的に一定の圧力で提供する。圧力は、通常、ユーザ又はシステムをセットアップした医療専門家によって使用前又は使用中に調節可能である。使用中、可変圧力を提供するシステム、例えば、２通りの圧力レベル、即ち、吸息（吸入）相（ＩＰＡＰ）中の圧力と呼息（呼出）相（ＥＰＡＰ）中のこれよりも低い圧力を提供するＢｉＰＡＰ器械も又知られている。
【００１０】
呼吸補助器械を用いた人は、自分の呼吸サイクルの一部として吸息したり呼息したりする。ユーザが呼息しているとき、ユーザは、ブロワにより提供された到来ガス流に抗して吸息している。この技術分野では、一方弁（逆止弁又はバイアス弁）をシステムに追加し、或いはマスク又はインターフェイスに取り付け若しくはその近くに配置することが周知である。マスクベントが、米国特許第６，６６２，８０３号明細書に記載されている。これにより、呼息空気を大気に逃がすことができる。
【００１１】
これとは異なる設計のマスクベントが、欧州特許第１２７５４１２号明細書に記載されている。
【００１２】
米国特許第６，１２３，０７４号明細書は、マスクが排気ポートを有し、呼吸システム中の圧力が常時モニタされ、流れ発生器の下流側（マスクと流れ発生器との間）に設けられた圧力制御装置が、導管内に一定の圧力を維持するよう働くシステムを開示している。
【００１３】
米国特許第６，５２６，９７４号明細書は、ユーザの要望に応じてブロワ又は流れ発生器の入口のサイズを変えることができ又は入口のサイズが自動的に変えられるＣＰＡＰ器械を開示している。
【００１４】
原文明細書において用いられている“有する”、”備えている”は、”一部分を構成する”、即ち、この用語の後に記載された特徴は、各表現において、全てが存在する必要があるが、他の特徴が存在しても良いことを示す。
【先行技術文献】
【特許文献】
【００１５】
【特許文献１】米国特許第７，１１１，６２４号明細書
【特許文献２】国際公開第２００４／１１２８７３号パンフレット
【特許文献３】米国特許第６，８８１，０３３号明細書
【特許文献４】米国特許第６，６６２，８０３号明細書
【特許文献５】欧州特許第１２７５４１２号明細書
【特許文献６】米国特許第６，１２３，０７４号明細書
【特許文献７】米国特許第６，５２６，９７４号明細書
【発明の概要】
【発明が解決しようとする課題】
【００１６】
本発明の目的は、上述の欠点を解決する手立てを提供し又は少なくとも一般大衆又は業界に有用な選択肢を提供する呼吸補助器械を提供することにある。
【課題を解決するための手段】
【００１７】
したがって、本発明の要旨は、概略的には、使用の際、加温加湿ガスをユーザに提供するシステムの一部として用いられるのに適したガス供給ユニットの一部をなすファンユニットであって、
入口孔及び出口通路を備えたケーシングを有し、出口通路は、出口孔を含み、
ケーシング内に配置され、使用の際、ファンを回転駆動するモータに連結できるようになったファンを有し、使用の際、ファンは、入口孔からガスをケーシング内に引き込み、出口通路を通ってガスをケーシングからガス流として送り出すようになっている、ファンユニットにおいて、
出口通路は、出口孔とは独立していて、出口通路を通るガス流の経路に対して角度をなして配置された少なくとも１つの通気穴を有することを特徴とするファンユニットにある。
【００１８】
好ましくは、出口通路及び少なくとも１つの通気穴は、出口通路の出口が実質的に塞がれた場合、使用の際に１つ又は複数個の通気穴を通る流量が出口通路を通る流量に一致し、その時点で、サージの開始が１つ又は複数の通気穴なしの実質的に類似すると共に実質的に塞がれた出口通路内で生じるように構成されている。
【００１９】
好ましくは、出口通路は、複数個の通気穴を有する。
好ましくは、出口孔の断面積は、個々の通気穴のうちの任意の１つの断面積よりも約３桁大きい。
【００２０】
好ましくは、出口孔の断面積は、通気穴の全断面積よりも約１桁〜２桁大きい。
好ましくは、通気穴は、通路の２つの互いに反対側の側部に配置されている。
【００２１】
好ましくは、実質的に同数の通気穴が、互いに反対側の側部の各々に形成されている。
好ましくは、通気穴の総数は、６５〜７５である。
好ましくは、ガス流の経路に対する通気穴の角度は、実質的に垂直である。
【００２２】
好ましくは、通気穴の各々は、他の通気穴と実質的に同一サイズのものである。
好ましくは、出口孔の断面積は、実質的に２１０〜２７０ｍｍ2である。
好ましくは、出口通路の内面に設けられた通気穴の各々の断面積は、実質的に０．２２ｍｍ2〜０．２６ｍｍ2である。
好ましくは、出口通路の内面に設けられた通気穴の全断面積は、実質的に１５．００ｍｍ2〜１７．００ｍｍ2である。
【００２３】
好ましくは、通気穴は、実質的に５°〜１５°の抜き勾配を備えている。
さらにより好ましくは、通気穴は、実質的に１０°の抜き勾配を備えている。
【００２４】
好ましくは、ケーシングは、全体として円形の形態であり、出口通路は、ケーシングに対して接線の関係をなしている。
好ましくは、出口孔の断面は、全体として長方形である。
好ましくは、入口孔は、使用の際、ケーシングの下側フェースに配置される。
好ましくは、入口孔は、全体として、ケーシングの中心に配置される。
【００２５】
好ましくは、ファンは、羽根車ユニットである。
好ましくは、羽根車ユニットは、使用の際、羽根車ユニットを駆動するモータに連結できるようになったスピンドルを有し、スピンドルは、ケーシングの底部から出ている。
【００２６】
本発明の要旨は又、広義には、本願の明細書において言及され若しくは記載された部品、要素及び特徴の各々又はまとまり及びこれら部品、要素又は特徴のうちの２つ又は３つ以上の任意の組み合わせ全ての組み合わせにあるということが言え、本発明に関連した技術分野において公知の均等例を有する特定の整数が本明細書において言及されている場合、このような公知の均等例は、あたかも個別的に記載されているかのごとく本明細書に組み込まれていると見なされる。
【図面の簡単な説明】
【００２７】
【図１】ユーザが先行技術としての公知形式のモジュール式ブロワ／加湿器システムから加湿空気を受け取っている状態を示す略図である。
【図２】ユーザが先行技術としての公知形式の一体形ブロワ／加湿器システムから加湿空気を受け取っている状態を示す略図である。
【図３】図１及び図２のブロワ又は一体形ブロワ／加湿器に用いることができる先行技術としての公知形式のインペラケーシング又はファンハウジングの平面図である。
【図４】図３のファンハウジングの側面図である。
【図５】例えば図３及び図４のファンの一部として使用される場合のあるインペラユニットの上から見た斜視図である。
【図６】例えば図３及び図４のファンの一部として使用される場合のあるインペラユニットの下から見た斜視図である。
【図７】本発明の一部をなし又は本発明を利用することができる一体形ブロワ／加湿器を示す図である。
【図８】図７の一体形ブロワ／加湿器の分解組立て図である。
【図９】図７及び図８のブロワの下から見た斜視図である。
【図１０】図７及び図８のブロワの斜め下から見た斜視図である。
【図１１】加温加湿空気をユーザに提供するシステムに用いられ、入口及び出口ツールを備えたファンケーシングの上から見た斜視図である。
【図１２】図１１のファンケーシングの平面図である。
【図１３】図１１及び図１２のファンケーシングの下から見た斜視図である。
【図１４】図１１、図１２及び図１３のファンケーシングの底面図である。
【図１５】図１１〜図１４のファンケーシングの出口通路の頂面に形成された通気穴の細部を示す図である。
【図１６】図１１〜図１４のファンケーシングの出口通路の下面に形成された通気穴の細部を示す図である。
【図１７】ハウジングの周囲に出口孔が設けられている別の形式のファンケーシングの上から見た図である。
【図１８】ハウジングの周囲に出口孔が設けられている別の形式のファンケーシングの下から見た図である。
【図１９】通気穴が設けられているファンケーシングと通気穴が設けられていないファンケーシングに関し、流量に対してプロットされた圧力の比較グラフ図である。
【発明を実施するための形態】
【００２８】
次に、添付の図面を参照して本発明の好ましい形態を説明する。
本発明を加湿器チャンバがガス供給ユニット（これは、呼吸器ユニット又はブロワユニットともいう）と一体化されたシステムに関して本発明を説明する。しかしながら、このシステムは、モジュール式システムに同様に適用できる。
【００２９】
本発明を利用することができる一体形ガス供給ユニット７が、図７に示されている。一体形ユニット７は、２つの主要な部分、即ち、ガス供給ユニット又はブロワユニット８及び加湿器ユニット（加湿ユニットという場合がある）９を有している。加湿ユニット９は、使用の際、加湿ユニット９の頂部を除き、ブロワユニット８の外側シェル８０内に部分的に収納される。本発明を完全に説明する上で、加湿ユニット９の構造及び作動を詳細に説明することは必要ではない。
【００３０】
ガス供給ユニット８の本体は、実質的に垂直の側壁、後壁に及び僅かに後方に傾けられた前壁又は前面（これらの壁は全て、必要ならば僅かに内方に傾けられても良い）を備えた全体として長方形のブロックの形態をしている。好ましい実施形態では、壁、ベース及び頂面は、全て、継ぎ目（シーム）の発生が最小限に抑えられるよう製造されると共にできるだけ遠くで連結されており、必要な継ぎ目は密封される。図３に示されているように、ガス供給ユニット８は、ガス供給ユニット８の前面の下方部分に設けられた操作ノブ１１を有し、制御ディスプレイ１２が、ノブ１１の真上に配置されている。患者用出口３０が、ガス供給ユニット８の後壁から出た状態で示されている。好ましい実施形態では、出口３０の自由端部は、連結を容易にするために上方に向いている。患者用出口３０は、一体形ユニット７と患者インターフェイス、例えばインターフェイス５との間に延びる導管、例えば導管３の一端部への空気圧的結合と電気的結合の両方を可能にするようになっている。使用することができるコネクタの形式及び製作することができるデュアル結合の形式の一例が、米国特許第６，９５３，３５４号明細書に記載されている。本明細書を読む上で、患者インターフェイスは、患者インターフェイスをこのように読むのが適しているインターフェイス５と導管３の両方を含むものとして考えることができる。
【００３１】
次に、図８、図９及び図１０を参照してガス供給ユニット８の内部構造及びコンポーネントについて説明する。ガス供給ユニット８は、ガス供給ユニット８の一部をなし又はこれを包囲した包囲外側シェル８０を有している。シェル８０は、ガス供給ユニット８を通過する空気を導く内部空気通路を有すると共に更に使用の際にガス供給ユニット８のコンポーネントが収納される内部凹部、キャビティ又はスロットを有する。ガス供給ユニット８のシェル８０は、更に、頂部が開いたコンパートメント１３を有するようになっている。使用の際、加湿器チャンバ９がコンパートメント１３内に配置される。ブロワユニット８は、コンパートメント１３の底部に配置されたヒーターベース又はヒータープレート（図示せず）を有する。加湿器入口孔１５及び加湿器出口孔１６は、コンパートメント１３の頂部寄りでコンパートメント１３の壁に設けられている。好ましい実施形態では、入口孔１５及び出口孔１６は、システムの使用中、加湿器チャンバ９に設けられた入口加湿器ポート１７及び出口加湿器ポート１８と結合するよう位置合わせされる。他形式の加湿器入口の使用は可能である。例えば、ガス供給ユニット８と例えば加湿器チャンバ９の蓋との間に導管が延びても良い。また、加湿器チャンバが別個のアイテム（これは、使用の際、ガス供給ユニットに剛結されない）である場合、加湿器入口孔１５は、加湿器チャンバに直に連結されず、これとは異なり、ガス供給ユニットに設けられている加湿器入口孔から加湿器チャンバまで延びる導管又はその類似手段の一端に連結される。
【００３２】
大気からの空気は、大気入口ベント１９を通ってガス供給ユニット８のシェル内に引き込まれる。このベント１９は、ガス供給ユニット８のシェルの外面上の都合の良い場所であればどこにでも配置できる。好ましい実施形態では、図９に示されているように、入口ベント１９は、ガス供給ユニット８のシェルの後面でその右側（前を見たときの右側）に配置されている。好ましい実施形態では、空気は、ガス供給ユニット８の一部をなし、ガス供給ユニット８の包囲外側シェルの内側に配置されるファンユニット２０によって入口ベント１９を通って引き込まれる。ファンユニット２０は、ガス供給ユニット及び補助呼吸システムのための加圧ガス流をもたらす。以下においてファンユニット２０につき詳細に説明する。空気は、ガス供給ユニット８のシェルを貫通して形成された湾曲入口経路２２を経てファンユニット２０内に間接的に引き込まれる。経路２２は、入口ベント１９からガス供給ユニットシェル８０に形成された孔２３まで延びており、孔２３は、ガス供給ユニットシェル８０に形成され、ファンユニット２０が収納される凹部２１に通じている。
【００３３】
ガス流は、次のようにファンユニット２０を通って加湿器入口孔１５に至り、即ち、ガス供給ユニット８のシェルは、ファンユニット２０と加湿器入口孔１５との間のガス連通を可能にするよう出口空気経路の少なくとも一部をなすチャンバ又は出口ダクト２６を有している。好ましい実施形態では、出口ダクト２６は、ガス供給ユニット８の右側の側壁（後ろから前に見た場合）と前壁との間を加湿器入口孔１５まで上方に延びている。図９及び図１０に示されているように、ファンユニット２０から出た空気は、ダクト２６に入る。
【００３４】
使用にあたり、空気は、加湿器入口孔１５を経てガス供給ユニット又はブロワ８のシェルを出てから加湿器チャンバ９に入る。好ましい形態では、加湿器入口孔１５は、ダクト２６の端部のところに位置する出口を形成する。ガスは、チャンバ９内で加湿加温され、その後、加湿器出口孔１６を通ってチャンバ９から流出し、この加湿器出口孔は、患者出口３０に直接的又は間接的に連結されている（加湿器チャンバ９の出口も又、ガス供給ユニット８とは完全に別個のものであっても良い）。次に、加温加湿ガスは、導管３によりユーザ１に送られる。患者出口３０は、患者導管３の空気圧取り付けを可能にするようになっており、好ましい実施形態では、出口３０は又、電気コネクタを介する電気接続を可能にするようになっている。電気的接続と空気圧連結の組み合わせは、例えば導管が加熱される場合に有用なことがある。導管、例えば導管３の電気的加熱は、導管３内における凝縮の発生を阻止し又は最小限に抑えることができる。また、出口連結は、一体形ユニット７のシェルを介して行われる必要がない。必要ならば、導管３の連結部は、加湿器チャンバ９の出口に直接配置されても良い。
【００３５】
ブロワユニット８は、使用の際、ユーザにより指示された圧力レベルに設定される。好ましい実施形態に関する流量は、ユーザの呼吸に応じて、使用中、変化する。ファンユニット２０への電力を変えてインペラ２４の回転速度及び圧力を変化させることができる。
【００３６】
ファンユニット及び空気経路
次に、図１１〜図１６を参照してファンユニット２０の構造について説明する。ファンユニット２０は、図１９及び図１０を参照して上述したように、使用の際、ガス供給ユニット８のシェルの凹部２１内に配置される。好ましい形態では、ファンユニット２０は、スネール又は渦巻形ケーシング２５の形態をしたケーシング内部に配置された回転型インペラユニット２４を有する。しかしながら、任意適当な形式のファン又は圧縮機を使用できる。例えば、渦巻形圧縮機をインペラユニット２４に代えて用いることができる。ケーシング２５内に配置される圧縮機又はファンを本明細書においては説明の目的上「ファン」と総称し、特定の好ましい実施形態については「インペラユニット２４」と称する。理解できるように、ファンユニット２０は、図１２及び図１４に示されているように、平面図で見て全体として円形に見える。ファンケーシング２５は、入口孔２７を有している。好ましい形態では、入口孔２７は、ケーシング２５の下面のほぼ中央に設けられていて、ケーシングの外部から内部に延びる円形の穴である。入口経路２２からの空気は、入口孔２７を通ってファンケーシング２５に入る。空気入口経路の一部として孔２３及び凹部２１の少なくとも一部を有することが適切である場合、本明細書は、これら要素を含むものとして読まれるべきである。ファンユニット２０のケーシング２５の好ましい形態は、出口通路２８を更に有する。好ましい形態では、出口通路２８は、ケーシング２５の一体部分として形成され、全体として円形のケーシング２５の残部に実質的に円周方向に位置合わせされた短い通路である。ファンケーシングの出口孔又は流出孔２９は、通路２８の外端部のところに配置されている。ファンケーシング流出孔２９は、通路２８の都合の良い場所であればどこにでも配置できる（即ち、このような流出孔は、通路の端部のところに位置する必要はなく、通路壁の長さに沿う途中で通路壁を貫通して設けられても良い）。流出孔２９は、ダクト２６内に開口している。
【００３７】
出口通路２８は、ファンから加湿器入口孔１５までの空気経路の一部をなしている。ファンケーシング２５は、通路２８の入口孔２７及び流出孔２９を除き、使用の際にファンを包囲する。
【００３８】
好ましい実施形態では、ファンユニット２０の回転は、ケーシング２５の外部に設けられたモータ（図示せず）により駆動され、ファン又はインペラユニット２４は、モータに連結可能に構成されている。好ましい実施形態では、モータは、凹部２１内でケーシング２５の下に配置され、このモータは、電磁モータである。インペラユニット２４は、ケーシング２５から垂直方向下方に延びてモータに結合するスピンドル６０を有している。使用にあたり、モータに電力供給してスピンドルを回転させ、それによりインペラユニット２４を回転させる。変形実施形態では、ファンは、モータにより間接的に、例えば、ファンをモータに連結する歯車若しくはその類似手段又は磁気誘導若しくはその類似手段によって稼働する。空気又はガスは、ケーシング２５の中央の入口孔２７を通ってインペラユニット２４の中央に引き込まれ、次に、インペラユニット２４が回転しているときに、インペラ羽根３１により出口通路２８の流出孔２９を通ってガス流として外方に送られる。好ましい形態では、ファン出口通路又は流出通路２８は、全体として長方形の断面を有し、流出通路２８は、ケーシング２５に対して実質的に接線方向に向けられている。しかしながら、ファン出口通路２８の断面は、任意適当な形状のものであって良く、例えば、長円形、長方形又は円形である。ファン出口通路２８も又、インペラユニットに対して任意適当な角度をなして、例えば、半径方向外方に向いて又は接線方向と半径方向との間の任意適当な角度をなして配置されても良い。ファン出口通路２８は、インペラユニット２４により外方に送られたガスが合流して流動ガス流となるようにし、又、ガス流の流れ方向を定める。通路内にはガスの幾分かの旋回が不可避的に生じるであろう。しかしながら、ガス流の全体的経路又は全体的方向は、ファンからファンケーシング流出孔２９に向かう通路に沿うであろう。
【００３９】
変形実施形態では、図１７及び図１８に示されているように、ファンケーシング２５は、一体形通路を備えていない状態で形成され、このファンケーシングは、ケーシングの主要部分の周囲に設けられ又はその近くに設けられたファンケーシング出口孔５０を有する。使用の際、このファンケーシング出口孔５０は、上述した出口通路と類似しているが、ガス供給ユニット８のシェル８０の一部として又はファンケーシング２５とガス供給ユニット８のシェル８０の両方に対して別個の要素として形成された出口通路と結合する。出口通路を別個の要素として形成した場合、出口通路は、組み立ての際、任意適当な機構、例えばグルー、摩擦嵌め、ラッチ、ねじ又はその類似手段により定位置に連結される。本明細書においては、「流出孔」という用語は、通路２８（又はその類似手段）の流出口２９を意味するために用いられ、「出口孔」という用語は、ファンケーシング２５の主要部分の周囲に設けられ又はその近くに設けられた出口を意味するために用いられており、このような出口は、一体形通路（例えば、通路２８）に繋がり又はガス供給ユニット８のシェルの一部として形成され又はファンユニット２０とガス供給ユニット８のシェル８０の両方に別々に繋がる完全に別個の通路として形成された別個の通路に繋がる。これらの場合の各々において形成される連結部は、コンポーネント相互間の流体結合を可能にする連結部であり、したがって、ガスは、ガス供給ユニット８の一部分から別の部分に流れることができるようになっている。
【００４０】
インペラユニット２４から出た空気は、接線方向速度成分と半径方向速度成分の両方を有している。インペラの回転速度は、接線方向速度を定める。ユーザにより引き込まれる流れは、空気がインペラから出る流量を定め、それ故、流量は、半径方向速度を定める。
【００４１】
呼吸補助器械を使用している人は、自分の呼吸サイクルの一部として吸息したり呼息したりする。ユーザは、呼息しているとき、ブロワにより提供される到来ガス流に抗して呼息を行い、ガス流の流量を絞る。ファンからユーザへのガス流の流量を絞った場合、流量が減少すると共にインペラからの半径方向流出速度が減少する。これにより、インペラから出る流量がそれ自体減少する場合があり、それにより、インペラユニット２４は、停動し又はサージする（脈を打つように回転する）。停動又はサージの結果として、送り出されるガス流の圧力に高い周期数の変動が生じる場合がある。ユーザは、ガス流を介してこのような変動を感じ取ることができ、このような変動により、可聴騒音が生じる場合があり、これら両方は、ユーザにとって邪魔になる。変動は又、ユーザにとって邪魔になる追加の騒音を生じさせる場合のある振動をシステムの機械的構造中にもたらす場合がある。
【００４２】
驚くべきこととして、バイパス通気穴をファンユニット２０に追加することは、流れの不安定性の開始を阻止するのに役立ち、最も驚くべきこととして、それと同時に、このような追加により、ファンハウジング２５及びインペラ２４を通る流量を維持することができる（即ち、バイパス通気穴の追加によっては全体的流量は悪影響を受けない）ことが判明した。ファン又はインペラ２４から出た流れの少なくとも一部分は通気穴をチョークしたときに停止するのではなく、通気穴を通って分流され又は逸らされる。
【００４３】
以下、ファンユニットに設けられるバイパス通気穴の好ましい形態について説明する。
【００４４】
図１９は、ファンユニット２０に極めて類似したファンユニットの実験的比較結果を示しており、実験用ファンユニットは、２つの状態、即ち、通気穴が設けられていない状態（線９０）と通気穴が設けられた状態（線９１）で試験された。通気穴なしのファンユニットの場合、実験により、圧力／流量勾配が平坦な状態（流量ゼロの状態から約５０リットル／分まで増大している「上昇している」）曲線９０の部分にサージが起こっていることが判明した。通気穴ありのファンユニットから集めた実験データについてプロットした線（線９１）は、これが左側に（ｘ軸線に沿って）ずれていることを除き、線９０（通気穴なしのブロワの曲線）とほぼ正確に平行である曲線を示していることが理解できる。曲線９１が左側にずれているので、「上昇」成分は、通常の作動条件の間除去され又は通常の作動パラメータの範囲外に位置し、したがって、サージは、起こる恐れがあまりない。
【００４５】
ガス供給ユニットバイパス通気穴
図１１〜図１６で理解できるように、ファン出口通路２１の好ましい形態は、ファン出口通路２８の壁又は側部を貫通して設けられた通気穴３２を有している。通気穴は、図１１及び図１２に示されている。これら通気穴は、ファン出口通路２８のファンケーシング出口孔２９とは別個であり又はこれとは独立している。通気穴３２は、ガス流の全体的経路に対して角度をなしていることが理解できる。即ち、これら通気穴は、ガス流の全体的経路に対して角度をなして配置されている。長方形通路（好ましい実施形態において示されている）の場合、通気穴は、ガス流の全体的経路に実質的に垂直に向けられている。好ましい形態では、穴は、各々、直径が約０．５５ｍｍであり、１０°の抜き勾配を有している（通路の外面のところの方が内面のところの方よりも大径である）。抜き勾配は、これにより周りがスムーズに逃げることができるので騒音減少に有利であり、抜き勾配は、流れを遅くし、したがって乱流及び騒音を減少させるディフューザとしての役目を果たす。抜き勾配は又、製造上の利点をもたらす。というのは、抜き勾配により、通路を通気穴を含めて例えば射出成形により一作業で形成できるからである。通気穴は、例えばこれらを成形後に穴あけすることにより別個の製造作業として追加する必要がない。
【００４６】
患者が吸息しているとき、ファンユニット２０からこれら通気穴を通る流れが殆どなく又は全くない。というのは、ガス流は、インペラユニット２４から通路２８を下り、そして出口２９を通って全体的経路又は抵抗の最も少ない経路を辿ることになるからである。ユーザが呼息すると、これにより、システムに絞りを生じさせることができ、上述したように、ファンユニット２０からの空気のスムーズな流れが妨害される。通気穴３２は、ファン出口通路２８、即ち、ファンケーシング２５の出口通路部分の内部からのガス抜きを可能にする。これにより、ファンケーシング２５を通る流量を維持することができ、このことは、流れの不安定性の開始を阻止するのに役立つ。その結果、乱流が減少し、したがって騒音が減少する。患者が呼息をいったん終えて自分の吸気相を開始すると、システム中の絞りの潜在的な一原因が除かれる。空気は、通気穴３２を通って逃げるのを終え、インペラから孔２９への抵抗の最も少ない経路を辿るのを再開し、その結果、ファンユニット２０からの実質的に全ての空気がダクト２６に流入するようになる。
【００４７】
好ましい形態では、ブロワユニットは、ユーザにより一定の圧力設定値に設定され、これは、ユーザの要望に応じて異なる（一定圧力）レベルに調節可能である。任意特定の一定圧力設定値の場合にＣＰＡＰユニット又はブロワユニット８により送り出される流量は、可変であり、個々のユーザの呼吸パターンで決まる。理想的には、ＣＰＡＰ器械は、あらゆる流量について一定の圧力を送り出す。しかしながら、使用の際、任意所与の圧力設定値の場合、ブロワユニット８は、実際には、ユーザが呼吸すると、可変圧力及び可変流量を送り出す。
【００４８】
図１９の実験プロットは、ファン速度が一定の場合のものである。実験を単一のファン速度設定値で実施した。実験を実験室条件下で（ユーザに接続しない状態で）実施したが、流量は、実質的に一定であった。また、実験をファンユニット単独で、即ち、ファンユニットをブロワシェル内に設けない状態で実施した。プロットから理解できるように、通気穴ありファンユニット（線９１）は、１６ｃｍＨ2Ｏよりも僅かに低い静圧を有し、この静圧は、０〜５０リットル／分の流量の場合実質的に一定である。これとは対照的に、通気穴なしファンユニットの場合のプロットは、０〜５０リットル／分の流量について上昇成分を含んでいることがわかる。
【００４９】
ファンユニットの好ましい形態は、好ましくは約４ｃｍＨ2Ｏ〜２０ｃｍＨ2Ｏの圧力範囲を提供するよう速度調節可能である。
【００５０】
通気穴は、このような通気穴を通る流量が停動又はサージ条件の開始時に出口流量（流出孔２９を通る流量）にマッチするよう寸法決めされるべきである。必要な総面積は、個々の面積のサイズで決まる。小径の通気穴が好ましい。というのは、これら小径の通気穴は、出口通路２８を通る全体的な最も高い流量で増大した流れ抵抗を呈するからである（したがって、ガスは、ユーザが呼息をしているときに流れが背圧によって絞られたときに穴を通って抜けるに過ぎない）。また、直径が０．５ｍｍ〜１．５ｍｍの通気穴に関する試験を実施することにより判明したこととして、小径の通気穴は、騒音及び振動を減少させるのにより有効な傾向がある。大径の通気穴の場合、望ましくないスパッタリング（定期的な音、ランダムな音、スピッティング音若しくはポッピング音又は不安定性）が生じる場合がある。
【００５１】
好ましい形態では、ファンケーシング出口孔２９は、個々の通気穴３２の任意の１つの断面積よりもほぼ２桁〜４桁との間、より具体的には実質的に３桁だけ大径である。ファンケーシング出口孔２９は、通気穴３２の全ての全断面積よりも約１桁〜２桁だけ大径である。ファンケーシング出口孔２９は、空気が既に移動している全体的経路と実質的に同一方向に差し向けられているので、インペラユニット２４からの空気の実質的に全ては、ファンケーシング出口通路２８に沿ってファンケーシング出口孔２９を通りそしてダクト２６内に流入する。
【００５２】
好ましい形態では、好ましい形態の通気穴３２は、約１６ｍｍ2〜１７ｍｍ2の全横断面積を有し、これら通気穴は、全体として長方形のパターンをなして等間隔を置いて配置されている。実質的に同一の数及び実質的に同一のパターンで分布された同一サイズの同数の穴を２つの互いに反対側の表面に用いること及びファン出口通路２８の互いに反対側の上面と下面を用いることが望ましい。これは、ファンケーシングの好ましい形態に対して製造上の利点を提供するからである。しかしながら、通気穴を都合の良い場所であればどこにでも又、都合の良いパターンであればどのようなパターンでも配置できる。また、互いに異なる出口形状も又有効であり、例えば、上述のパターンに代えてスロット又はグリッドパターンを使用できる。また、全体として長方形の出口通路を説明したが、これは、長円形、円形又は任意他の適当な断面形状のものであって良い。通路が例えば円形又は長円形の場合、通気穴は、通路の２つの反対側の「側部」に、即ち、全体として互いに反対側の２つの領域に又は通路の周囲の周りに互いに全体として等距離を置いて設けても良い。
【００５３】
最も好ましい形態では、流出孔２９の断面積は、約２４０ｍｍ2である。好ましい形態では、通路２８は、長方形の断面を有し、通気穴３２は、長方形通路の２つの反対側の側部又は辺に設けられる。図１５及び図１６に示されているように、最も好ましい形態では、通路２８の上面及び下面に全部で６９個の通気穴が形成される。各通気穴は、内面のところの直径が約０．５５ｍｍである。したがって、内面を貫通して形成された穴の各々の全断面積は、約０．２４ｍｍ2である。したがって、出口側通気穴の全断面積は、最も好ましい形態の場合、１６．３９ｍｍ2である。これは、本発明の最も好ましい形態である。直径が互いに異なり数が互いに異なる通気穴を用いて試験を実施した。通気穴に関する有効全体的サイズは、実質的に一定のままであり、個々の通気穴のサイズとはほぼ完全に独立していることが判明した。１５．５ｍｍ2〜１７ｍｍ2の全体的「ブリード」、「分流」又は通気穴断面積が好ましいが、実験により、本発明の利点は、約１２．０ｍｍ2（通気穴が７つ、各通気穴の直径は、１．５ｍｍ）という小さい通気穴全断面積でも実現できることが判明した。また、直径が０．５５ｍｍ、０．７５ｍｍ、１．００ｍｍ、１．２５ｍｍ及び１．５ｍｍの通気穴について試験を実施した。過度の機械的騒音又は「ゴロゴロという音」を阻止するのに必要な各直径の穴の数は様々であった（ただし、これは主観的な試験であったこと及び適当な騒音レベルを判定するのに一定のパラメータを測定しなかった）。互いに異なる直径の各々についてゴロゴロ音の発生を阻止するのに必要な穴の数は、次の通りであり、即ち、５６個（０．５５ｍｍ）、２８個（０．７５ｍｍ）、１７個（１．００ｍｍ）、１１個（１．２５ｍｍ）及び７個（１．５ｍｍ）である。
【００５４】
上述したように、試験機器は、ファンケーシング２５の好ましい形態とは僅かに異なっており、最も好ましい形態における穴の数及び寸法は、各直径が０．５５ｍｍの６９個の穴として決定された。
【００５５】
この試験結果の示すところによれば、本発明の利点を断面積が１２．０ｍｍ2〜１７ｍｍ2の単一の通気穴で実現できる。各々の面積が約０．２４ｍｍ2の小径の穴のパターンが１つの大径の穴を用いた場合よりも有効であることが判明したが、本発明の利点は、１つの大径の穴又は僅かな数の大径の穴を用いても依然として実現できる。これにより、絞り副作用に同一の軽減が依然として生じる。というのは、ガスは、絞り状態で抜けることができ、しかもインペラを通る流れを維持することができるからである。しかしながら、大径の穴（断面積が同一の多数の小径穴ではなく）を用いたことに起因する他の望ましくない副作用が生じる場合がある。例えば、ガスは、吸息相並びに呼息相の間、穴を通って容易に抜ける。これにより、全体的な系統圧力が減少すると共に背圧効果を最小限に抑える上で穴の効率が低下する。というのは、ユーザが呼息を始めたとき、或る程度の量のガスが既に穴を通って流れているからである。また、上述したように、小径の穴は、騒音及び振動を減少させる上で有効な傾向があるということが判明した。大径の通気穴の場合、望ましくないスパッタリング（定期的なスピッティング音又はポッピング音）が生じる場合がある。
【００５６】
丸形通気穴について説明したが、断面積が同一のこれとは異なる形状の穴をこれが好ましい場合には使用できる。また、種々の寸法形状の穴の組み合わせをこれが好ましい場合又はこの形態が或る特定の状況において有益な場合、用いることができる。
【００５７】
上述の本発明は、補助呼吸システムにおける騒音及び振動を減少させるのに有益である。
【００５８】
好ましい特徴（米国クレーム）
［実施態様項１］  使用の際、加温加湿ガスをユーザに提供するシステムの一部として用いられるのに適したガス供給ユニットの一部をなすファンユニットであって、
入口孔及び出口通路を備えたケーシングを有し、前記出口通路は、出口孔を含み、
前記ケーシング内に配置され、使用の際、前記ファンを回転駆動するモータに連結できるようになったファンを有し、使用の際、前記ファンは、前記入口孔からガスを前記ケーシング内に引き込み、前記出口通路を通って前記ガスを前記ケーシングからガス流として送り出すようになっている、ファンユニットにおいて、
前記出口通路は、前記出口孔とは独立していて、前記出口通路を通る前記ガス流の経路に対して角度をなして配置された少なくとも１つの通気穴を有することを特徴とするファンユニット。
［実施態様項２］  前記出口通路及び前記少なくとも１つの通気穴は、前記出口通路の前記出口が実質的に塞がれた場合、使用の際に１つ又は複数個の前記通気穴を通る流量が前記出口通路を通る流量に一致し、その時点で、サージの開始が１つ又は複数の通気穴なしの実質的に類似すると共に実質的に塞がれた出口通路内で生じるように構成されていることを特徴とする実施態様項１記載のファンユニット。
［実施態様項３］  前記出口通路は、複数個の前記通気穴を有することを特徴とする実施態様項１記載のファンユニット。
［実施態様項４］  前記出口孔の断面積は、個々の前記通気穴のうちの任意の１つの断面積よりも約３桁大きいことを特徴とする実施態様項３記載のファンユニット。
［実施態様項５］  前記出口孔の断面積は、前記通気穴の全断面積よりも約１桁〜２桁大きいことを特徴とする実施態様項３又は４記載のファンユニット。
［実施態様項６］  前記通気穴は、前記通路の２つの互いに反対側の側部に配置されていることを特徴とする実施態様項５記載のファンユニット。
［実施態様項７］  実質的に同数の通気穴が、前記互いに反対側の側部の各々に形成されていることを特徴とする実施態様項６記載のファンユニット。
［実施態様項８］  前記通気穴の総数は、６５〜７５であることを特徴とする実施態様項７記載のファンユニット。
［実施態様項９］  前記ガス流の前記経路に対する前記通気穴の前記角度は、実質的に垂直であることを特徴とする実施態様項８記載のファンユニット。
［実施態様項１０］  前記通気穴の各々は、他の前記通気穴と実質的に同一サイズのものであることを特徴とする実施態様項９記載のファンユニット。
［実施態様項１１］  前記出口孔の断面積は、実質的に２１０〜２７０ｍｍ2であることを特徴とする実施態様項１０記載のファンユニット。
［実施態様項１２］  前記出口通路の内面に設けられた前記通気穴の各々の断面積は、実質的に０．２２ｍｍ2〜０．２６ｍｍ2であることを特徴とする実施態様項１１記載のファンユニット。
［実施態様項１３］  前記出口通路の内面に設けられた前記通気穴の全断面積は、実質的に１５．００ｍｍ2〜１７．００ｍｍ2であることを特徴とする実施態様項１２記載のファンユニット。
［実施態様項１４］  前記通気穴は、実質的に５°〜１５°の抜き勾配を備えていることを特徴とする実施態様項１３記載のファンユニット。
［実施態様項１５］  前記通気穴は、実質的に１０°の抜き勾配を備えていることを特徴とする実施態様項１３記載のファンユニット。
［実施態様項１６］  前記ケーシングは、全体として円形の形態のものであり、前記出口通路は、前記ケーシングに対して接線の関係をなしていることを特徴とする実施態様項１５記載のファンユニット。
［実施態様項１７］  前記出口孔の断面は、全体として長方形であることを特徴とする実施態様項１６記載のファンユニット。
［実施態様項１８］  前記入口孔は、使用の際、前記ケーシングの下側フェースに配置されることを特徴とする実施態様項１７記載のファンユニット。
［実施態様項１９］  前記入口孔は、全体として、前記ケーシングの中心に配置されることを特徴とする実施態様項１８記載のファンユニット。
［実施態様項２０］  前記ファンは、羽根車ユニットであることを特徴とする実施態様項１９記載のファンユニット。
［実施態様項２１］  前記羽根車ユニットは、使用の際、前記羽根車ユニットを駆動するモータに連結できるようになったスピンドルを有し、前記スピンドルは、前記ケーシングの底部から出ていることを特徴とする実施態様項２０記載のファンユニット。
［実施態様項２２］  使用の際、加温加湿ガスをユーザに提供するシステムの一部として使用されるのに適したガス供給ユニットの一部をなすファンユニット用のハウジングであって、
入口孔及び出口通路を備えた外側ケーシングを有し、前記出口通路は、出口孔を有し、前記ケーシングは、使用の際、ファンを包囲するようになっており、
前記出口通路は、前記出口孔とは独立していて、前記出口通路に沿って通るガス流の全体的経路に対して角度をなして配置された少なくとも１つの通気穴を有することを特徴とするファンユニット用ハウジング。
［実施態様項２３］  前記出口通路及び前記少なくとも１つの通気穴は、前記出口通路の前記出口が実質的に塞がれた場合、使用の際に１つ又は複数個の前記通気穴を通る流量が前記出口通路を通る流量に一致し、その時点で、サージの開始が１つ又は複数の通気穴なしの実質的に類似すると共に実質的に塞がれた出口通路内で生じるように構成されていることを特徴とする実施態様項２２記載のファンユニット用ハウジング。
［実施態様項２４］  前記出口通路は、複数個の前記通気穴を有することを特徴とする実施態様項２２記載のファンユニット用ハウジング。
［実施態様項２５］  前記出口孔の断面積は、個々の前記通気穴のうちの任意の１つの断面積よりも約３桁大きいことを特徴とする実施態様項２４載のファンユニット用ハウジング。
［実施態様項２６］  前記出口孔の断面積は、前記通気穴の全断面積よりも約１桁〜２桁大きいことを特徴とする実施態様項２４又は２５記載のファンユニット用ハウジング。
［実施態様項２７］  前記通気穴は、前記通路の２つの互いに反対側の側部に配置されていることを特徴とする実施態様項２４記載のファンユニット用ハウジング。
［実施態様項２８］  実質的に同数の通気穴が、前記互いに反対側の側部の各々に形成されていることを特徴とする実施態様項２７記載のファンユニット用ハウジング。
［実施態様項２９］  前記通気穴の総数は、６５〜７５であることを特徴とする実施態様項２８記載のファンユニット用ハウジング。
［実施態様項３０］  前記ガス流の前記経路に対する前記通気穴の前記角度は、実質的に垂直であることを特徴とする実施態様項２９記載のファンユニット用ハウジング。
［実施態様項３１］  前記通気穴の各々は、他の前記通気穴と実質的に同一サイズのものであることを特徴とする実施態様項３０記載のファンユニット用ハウジング。
［実施態様項３２］  前記出口孔の断面積は、実質的に２１０〜２７０ｍｍ2であることを特徴とする実施態様項３１記載のファンユニット用ハウジング。
［実施態様項３３］  前記出口通路の内面に設けられた前記通気穴の各々の断面積は、実質的に０．２２ｍｍ2〜０．２６ｍｍ2であることを特徴とする実施態様項３２記載のファンユニット用ハウジング。
［実施態様項３４］  前記出口通路の内面に設けられた前記通気穴の全断面積は、実質的に１５．００ｍｍ2〜１７．００ｍｍ2であることを特徴とする実施態様項３３記載のファンユニット用ハウジング。
［実施態様項３５］  前記通気穴は、実質的に５°〜１５°の抜き勾配を備えていることを特徴とする実施態様項３４記載のファンユニット用ハウジング。
［実施態様項３６］  前記通気穴は、実質的に１０°の抜き勾配を備えていることを特徴とする実施態様項３５記載のファンユニット用ハウジング。
［実施態様項３７］  前記ケーシングは、全体として円形の形態のものであり、前記出口通路は、前記ケーシングに対して接線の関係をなしていることを特徴とする実施態様項３６記載のファンユニット用ハウジング。
［実施態様項３８］  前記出口孔の断面は、全体として長方形であることを特徴とする実施態様項３７記載のファンユニット用ハウジング。
［実施態様項３９］  前記入口孔は、使用の際、前記ケーシングの下側フェースに配置されることを特徴とする実施態様項３８記載のファンユニット用ハウジング。
［実施態様項４０］  使用の際、加温加湿ガスをユーザに提供するシステムの一部をなし、使用の際、加圧ガス流を提供するようになった形式のガス供給ユニット用のハウジングであって、
前記ガス供給ユニットの一部を包囲すると共にこれを形成する包囲外側シェルを有し、前記シェルは、使用の際、大気中からのガスが前記シェルに入ることができるようにするようになった大気入口及び加圧ガス流が前記シェルから出ることができるようにする加湿器入口孔を有し、
ファンケーシングを保持するようになった内側凹部を有し、使用の際、前記ガス供給ユニットの一部として設けられたモータを前記ファンケーシングの内部に配置されたファンに連結して前記ファンを駆動して前記大気入口を通って空気を前記ガス供給ユニットシェル内に引き込むことができるようになっており、
前記加湿器入口孔に隣接した状態でこれに流体結合される出口端部及び入口端部を備えた出口ダクトを有し、
使用の際、前記ファンケーシングの出口及び前記出口ダクトの前記入口端部に流体結合する通路を有し、前記通路は、前記通路を通る前記ガス流の全体的経路に対して角度をなして配置された少なくとも１つの通気穴を有することを特徴とするガス供給ユニット用ハウジング。
［実施態様項４１］  前記通路は、前記ハウジングの一体部分として形成されていることを特徴とする実施態様項４０記載のガス供給ユニット用ハウジング。
［実施態様項４２］  前記通路は、前記シェルとは別個の部品として形成され、使用の際、前記シェルに連結されることを特徴とする実施態様項４０記載のガス供給ユニット用ハウジング。
［実施態様項４３］  前記通路は、前記出口孔からのガスが前記ファンに対して実質的に接線関係をなして前記通路に流入するよう前記シェル内に配置されると共に構成されていることを特徴とする実施態様項４０記載のガス供給ユニット用ハウジング。
［実施態様項４４］  前記通路及び前記少なくとも１つの通気穴は、前記出口通路の前記出口が実質的に塞がれた場合、使用の際に１つ又は複数個の前記通気穴を通る流量が前記出口通路を通る流量に一致し、その時点で、サージの開始が１つ又は複数の通気穴なしの実質的に類似すると共に実質的に塞がれた出口通路内で生じるように構成されていることを特徴とする実施態様項４０〜４３のうちいずれか一に記載のガス供給ユニット用ハウジング。
［実施態様項４５］  前記出口通路は、複数個の前記通気穴を有することを特徴とする実施態様項４４記載のガス供給ユニット用ハウジング。
［実施態様項４６］  前記出口孔の断面積は、個々の前記通気穴のうちの任意の１つの断面積よりも約３桁大きいことを特徴とする実施態様項４５載のガス供給ユニット用ハウジング。
［実施態様項４７］  前記出口孔の断面積は、前記通気穴の全断面積よりも約１桁〜２桁大きいことを特徴とする実施態様項４６記載のガス供給ユニット用ハウジング。
［実施態様項４８］  前記通気穴は、前記通路の２つの互いに反対側の側部に配置されていることを特徴とする実施態様項４７記載のガス供給ユニット用ハウジング。
［実施態様項４９］  実質的に同数の通気穴が、前記互いに反対側の側部の各々に形成されていることを特徴とする実施態様項４８記載のガス供給ユニット用ハウジング。
［実施態様項５０］  前記通気穴の総数は、６５〜７５であることを特徴とする実施態様項４９記載のガス供給ユニット用ハウジング。
［実施態様項５１］  前記ガス流の前記経路に対する前記通気穴の前記角度は、実質的に垂直であることを特徴とする実施態様項５０記載のガス供給ユニット用ハウジング。
［実施態様項５２］  前記通気穴の各々は、他の前記通気穴と実質的に同一サイズのものであることを特徴とする実施態様項５１記載のガス供給ユニット用ハウジング。
［実施態様項５３］  前記出口孔の断面積は、実質的に２１０〜２７０ｍｍ2であることを特徴とする実施態様項５２記載のガス供給ユニット用ハウジング。
［実施態様項５４］  前記出口通路の内面に設けられた前記通気穴の各々の断面積は、実質的に０．２２ｍｍ2〜０．２６ｍｍ2であることを特徴とする実施態様項５３記載のガス供給ユニット用ハウジング。
［実施態様項５５］  前記出口通路の内面に設けられた前記通気穴の全断面積は、実質的に１５．００ｍｍ2〜１７．００ｍｍ2であることを特徴とする実施態様項５４記載のガス供給ユニット用ハウジング。
［実施態様項５６］  前記通気穴は、実質的に５°〜１５°の抜き勾配を備えていることを特徴とする実施態様項５５記載のガス供給ユニット用ハウジング。
［実施態様項５７］  前記通気穴は、実質的に１０°の抜き勾配を備えていることを特徴とする実施態様項５６記載のガス供給ユニット用ハウジング。
［実施態様項５８］  前記出口孔の断面は、全体として長方形であることを特徴とする実施態様項５７記載のガス供給ユニット用ハウジング。
［実施態様項５９］  前記ケーシングは、全体として円形の形態のものであり、前記出口通路は、前記ケーシングに対して接線の関係をなしていることを特徴とする実施態様項５８記載のガス供給ユニット用ハウジング。
［実施態様項６０］  前記入口孔は、使用の際、前記ケーシングの下側フェースに配置されることを特徴とする実施態様項５９記載のファンユニット用ハウジング。
［実施態様項６１］  使用の際、加温加湿ガスをユーザに提供するシステムの一部をなすガス供給ユニットであって、
入口孔及び出口孔を備えたファンケーシングと、使用の際、前記ケーシング内部に配置されるファンとを有するファンユニットを有し、前記ファンユニットは、使用の際、前記出口孔を通って加圧ガス流を提供するようになっており、
使用の際、前記ファンを駆動するよう前記ファンユニットに連結できるようになったモータを有し、
前記ガス供給ユニットは、実施態様項４０〜６０のうちいずれか一に記載のハウジングを有することを特徴とするガス供給ユニット。
［実施態様項６２］  加温加湿ガスをユーザに供給するのに適した医療用呼吸システムであって、
加圧ガス流を提供するようになったガス供給ユニットを有し、
加湿器チャンバを有し、前記加湿器チャンバは、使用の際、前記ガス供給ユニットに流体結合されて前記ガス流が前記加湿器チャンバ内に流入してこれを通過することができ、前記加湿器チャンバは、使用の際、前記ガス流が前記加湿器チャンバを通過する際に前記ガス流を加温すると共に加湿するよう加熱される所与の量の水を収容しており、
前記加温加湿ガス流をユーザに提供するようになった患者インターフェイスを有し、前記患者インターフェイスは、前記加湿器チャンバからの前記加温加湿ガスを前記ユーザに運ぶ導管を有し、
前記ガス供給ユニットは、
入口孔及び出口孔を備えたファンケーシングと、使用の際、前記ケーシング内部に配置されるファンとを有するファンユニットを有し、前記ファンユニットは、使用の際、前記出口孔を通って加圧ガス流を提供するようになっており、
使用の際、前記ファンを駆動するよう前記ファンユニットに連結できるようになったモータを有し、
前記ガス供給ユニットは、実施態様項４０〜６０のうちいずれか一に記載のハウジングを有することを特徴とする医療用呼吸システム。
［実施態様項６３］  前記外側シェルは、使用の際、前記加湿器チャンバを少なくとも部分的に包囲するようになっていることを特徴とする実施態様項６２記載の医療用呼吸システム。
［実施態様項６４］  前記外側シェルと前記加湿器チャンバは、前記出口孔が使用の際、前記加湿器チャンバの入口ポートに直接結合できるよう相互に協働関係をなして構成されていることを特徴とする実施態様項６３記載の医療用呼吸システム。
［実施態様項６５］  前記ガス供給ユニットは、ヒータープレートを有し、前記ガス供給ユニットは、使用の際、前記ヒータープレートに電力供給して前記所与の量の水を加熱することを特徴とする実施態様項６４記載の医療用呼吸システム。
［実施態様項６６］  使用の際、加温加湿ガスをユーザに提供するシステムの一部として用いられるのに適したガス供給ユニットの一部をなすファンユニットであって、
入口孔及び出口通路を備えたケーシングを有し、前記出口通路は、出口孔を含み、
前記ケーシング内に配置され、使用の際、前記ファンを回転駆動するモータに連結できるようになったファンを有し、使用の際、前記ファンは、前記入口孔からガスを前記ケーシング内に引き込み、前記出口通路を通って前記ガスを前記ケーシングからガス流として送り出すようになっている、ファンユニットにおいて、
前記出口通路は、前記出口孔とは独立していて、前記出口通路を通る前記ガス流の経路に対して角度をなして配置された複数個の通気穴を有することを特徴とするファンユニット。
［実施態様項６７］  前記出口通路及び前記通気穴は、前記出口通路の前記出口が実質的に塞がれた場合、使用の際に１つ又は複数個の前記通気穴を通る流量が前記出口通路を通る流量に一致し、その時点で、サージの開始が１つ又は複数の通気穴なしの実質的に類似すると共に実質的に塞がれた出口通路内で生じるように構成されていることを特徴とする実施態様項６６記載のファンユニット。
［実施態様項６８］  前記出口孔の断面積は、個々の前記通気穴のうちの任意の１つの断面積よりも約３桁大きいことを特徴とする実施態様項６６記載のファンユニット。
［実施態様項６９］  前記出口孔の断面積は、前記通気穴の全断面積よりも約１桁〜２桁大きいことを特徴とする実施態様項６８記載のファンユニット。
［実施態様項７０］  前記通気穴は、前記通路の２つの互いに反対側の側部に配置されていることを特徴とする実施態様項６９記載のファンユニット。
［実施態様項７１］  実質的に同数の通気穴が、前記互いに反対側の側部の各々に形成されていることを特徴とする実施態様項７０記載のファンユニット。
［実施態様項７２］  前記通気穴の総数は、６５〜７５であることを特徴とする実施態様項７１記載のファンユニット。
［実施態様項７３］  前記ガス流の前記経路に対する前記通気穴の前記角度は、実質的に垂直であることを特徴とする実施態様項７２記載のファンユニット。
［実施態様項７４］  前記通気穴の各々は、他の前記通気穴と実質的に同一サイズのものであることを特徴とする実施態様項７３記載のファンユニット。
［実施態様項７５］  前記出口孔の断面積は、実質的に２１０〜２７０ｍｍ2であることを特徴とする実施態様項７４記載のファンユニット。
［実施態様項７６］  前記出口通路の内面に設けられた前記通気穴の各々の断面積は、実質的に０．２２ｍｍ2〜０．２６ｍｍ2であることを特徴とする実施態様項７５記載のファンユニット。
［実施態様項７７］  前記出口通路の内面に設けられた前記通気穴の全断面積は、実質的に１５．００ｍｍ2〜１７．００ｍｍ2であることを特徴とする実施態様項７６記載のファンユニット。
［実施態様項７８］  前記通気穴は、実質的に５°〜１５°の抜き勾配を備えていることを特徴とする実施態様項７７記載のファンユニット。
［実施態様項７９］  前記通気穴は、実質的に１０°の抜き勾配を備えていることを特徴とする実施態様項７８記載のファンユニット。
［実施態様項８０］  前記ケーシングは、全体として円形の形態のものであり、前記出口通路は、前記ケーシングに対して接線の関係をなしていることを特徴とする実施態様項７９記載のファンユニット。
［実施態様項８１］  前記出口孔の断面は、全体として長方形であることを特徴とする実施態様項８０記載のファンユニット。
［実施態様項８２］  前記入口孔は、使用の際、前記ケーシングの下側フェースに配置されることを特徴とする実施態様項８１記載のファンユニット。
［実施態様項８３］  前記入口孔は、全体として、前記ケーシングの中心に配置されることを特徴とする実施態様項８２記載のファンユニット。
［実施態様項８４］  前記ファンは、羽根車ユニットであることを特徴とする実施態様項８３記載のファンユニット。
［実施態様項８５］  前記羽根車ユニットは、使用の際、前記羽根車ユニットを駆動するモータに連結できるようになったスピンドルを有し、前記スピンドルは、前記ケーシングの底部から出ていることを特徴とする実施態様項８４記載のファンユニット。
【００５９】
許可された特徴（欧州特許実施態様）
［実施態様項８６］  使用の際、加温加湿ガスをユーザに提供するシステムの一部をなし、使用の際、加圧ガス流を提供するようになった形式のガス供給ユニット用のハウジングであって、
前記ガス供給ユニットの一部を包囲すると共にこれを形成する包囲外側シェルを有し、前記シェルは、使用の際、大気中からのガスが前記シェルに入ることができるようにするようになった大気入口及び加圧ガス流が前記シェルから出ることができるようにする加湿器入口孔を有し、
ファンケーシングを保持するようになった内側凹部を有し、使用の際、前記ガス供給ユニットの一部として設けられたモータを前記ファンケーシングの内部に配置されたファンに連結して前記ファンを駆動して前記大気入口を通って空気を前記ガス供給ユニットシェル内に引き込むことができるようになっており、
前記加湿器入口孔に隣接した状態でこれに流体結合される出口端部及び入口端部を備えた出口ダクトを有し、
使用の際、前記ファンケーシングの出口及び前記出口ダクトの前記入口端部に流体結合する通路を有し、前記通路は、前記通路を通る前記ガス流の全体的経路に対して角度をなして配置された少なくとも１つの通気穴を有することを特徴とするハウジング。
［実施態様項８７］  前記出口通路及び前記少なくとも１つの通気穴は、前記出口通路の前記出口が実質的に塞がれた場合、使用の際に１つ又は複数個の前記通気穴を通る流量が前記出口通路を通る流量に一致し、その時点で、サージの開始が１つ又は複数の通気穴なしの実質的に類似すると共に実質的に塞がれた出口通路内で生じるように構成されていることを特徴とする実施態様項８６記載のハウジング。
［実施態様項８８］  前記出口孔の断面積は、個々の前記通気穴のうちの任意の１つの断面積よりも約３桁大きいことを特徴とする実施態様項８６又は８７載のハウジング。
［実施態様項８９］  前記出口孔の断面積は、前記通気穴の全断面積よりも約１桁〜２桁大きいことを特徴とする実施態様項８６〜８８のうちいずれか一に記載のハウジング。
［実施態様項９０］  前記ガス流の前記経路に対する前記通気穴の前記角度は、実質的に垂直であることを特徴とする実施態様項８６〜８９のうちいずれか一に記載のハウジング。
［実施態様項９１］  前記出口通路は、複数個の前記通気穴を有することを特徴とする実施態様項８６〜９０のうちいずれか一に記載のハウジング。
［実施態様項９２］  前記通気穴は、前記通路の２つの互いに反対側の側部に配置されていることを特徴とする実施態様項９１記載のハウジング。
［実施態様項９３］  実質的に同数の通気穴が、前記互いに反対側の側部の各々に形成されていることを特徴とする実施態様項９２記載のハウジング。
［実施態様項９４］  前記通気穴の総数は、６５〜７５であることを特徴とする実施態様項９１〜９３のうちいずれか一に記載のハウジング。
［実施態様項９５］  前記通気穴の各々は、他の前記通気穴と実質的に同一サイズのものであることを特徴とする実施態様項９１〜９４のうちいずれか一に記載のハウジング。
［実施態様項９６］  前記出口孔の断面積は、実質的に２１０〜２７０ｍｍ2であることを特徴とする実施態様項８６〜９５のうちいずれか一に記載のハウジング。
［実施態様項９７］  前記出口通路の内面に設けられた前記通気穴の各々の断面積は、実質的に０．２２ｍｍ2〜０．２６ｍｍ2であることを特徴とする実施態様項８６〜９６のうちいずれか一に記載のハウジング。
［実施態様項９８］  前記出口通路の内面に設けられた前記通気穴の全断面積は、実質的に１５．００ｍｍ2〜１７．００ｍｍ2であることを特徴とする実施態様項９１〜９７のうちいずれか一に記載のハウジング。
［実施態様項９９］  前記通気穴は、実質的に５°〜１５°の抜き勾配を備えていることを特徴とする実施態様項８６〜９８のうちいずれか一に記載のハウジング。
［実施態様項１００］  前記通気穴は、実質的に１０°の抜き勾配を備えていることを特徴とする実施態様項９９記載のハウジング。
［実施態様項１０１］  前記ケーシングは、全体として円形の形態のものであり、前記出口通路は、前記ケーシングに対して接線の関係をなしていることを特徴とする実施態様項８６〜１００のうちいずれか一に記載のハウジング。
［実施態様項１０２］  前記出口孔の断面は、全体として長方形であることを特徴とする実施態様項８６〜１０１のうちいずれか一に記載のハウジング。
［実施態様項１０３］  前記入口孔は、使用の際、前記ケーシングの下側フェースに配置されることを特徴とする実施態様項８６〜１０２のうちいずれか一に記載のハウジング。
［実施態様項１０４］  前記入口孔は、全体として、前記ケーシングの中心に配置されることを特徴とする実施態様項８６〜１０３のうちいずれか一に記載のハウジング。
［実施態様項１０５］  前記ファンは、羽根車ユニットであることを特徴とする実施態様項８６〜１０４のうちいずれか一に記載のハウジング。
［実施態様項１０６］  前記羽根車ユニットは、使用の際、前記羽根車ユニットを駆動するモータに連結できるようになったスピンドルを有し、前記スピンドルは、前記ケーシングの底部から出ていることを特徴とする実施態様項１０５記載のファンユニット。
［実施態様項１０７］  使用の際、加温加湿ガスをユーザに提供するシステムの一部をなし、使用の際、加圧ガス流を提供するようになった形式のガス供給ユニット用のハウジングであって、前記ハウジングは、包囲外側シェルを形成し、前記シェルは、使用の際、大気中からのガスが前記シェルに入ることができるようにするようになった大気入口及び加圧ガス流が前記シェルから出ることができるようにする加湿器入口孔を有し、前記シェルは、ファンケーシング及びモータを保持するようになった内側凹部を有し、使用の際、前記モータは、前記ファンケーシングの内部に配置されたファンを駆動して前記大気入口を通って空気を前記ガス供給ユニットシェル内に引き込むことができるようになっており、前記ガス供給ユニットは、前記加湿器入口孔に隣接した状態でこれに流体結合される出口端部及び入口端部を備えた出口ダクトを更に有し、
前記ハウジングは、前記ファンケーシングの出口及び前記出口ダクトの前記入口端部に流体結合する通路を有し、前記通路は、前記通路を通る前記ガス流の全体的経路に対して角度をなして配置された少なくとも１つの通気穴を有することを特徴とするガス供給ユニット用ハウジング。
［実施態様項１０８］  前記通路は、前記シェルの一体部分として形成されていることを特徴とする実施態様項１０７記載のガス供給ユニット用ハウジング。
［実施態様項１０９］  前記通路は、前記シェルとは別個の部品として形成され、使用の際、前記シェルに連結されることを特徴とする実施態様項１０８記載のガス供給ユニット用ハウジング。
［実施態様項１１０］  前記通路は、前記出口孔からのガスが前記ファンに対して実質的に接線関係をなして前記通路に流入するよう前記シェル内に配置されると共に構成されていることを特徴とする実施態様項１０７〜１０９のうちいずれか一に記載のガス供給ユニット用ハウジング。
［実施態様項１１１］  前記通路及び前記少なくとも１つの通気穴は、前記出口通路の前記出口が実質的に塞がれた場合、使用の際に１つ又は複数個の前記通気穴を通る流量が前記出口通路を通る流量に一致し、その時点で、サージの開始が１つ又は複数の通気穴なしの実質的に類似すると共に実質的に塞がれた出口通路内で生じるように構成されていることを特徴とする実施態様項１０７〜１０９のうちいずれか一に記載のガス供給ユニット用ハウジング。
［実施態様項１１２］  前記出口通路は、複数個の前記通気穴を有することを特徴とする実施態様項１０７〜１１１のうちいずれか一に記載のガス供給ユニット用ハウジング。
［実施態様項１１３］  前記出口孔の断面積は、個々の前記通気穴のうちの任意の１つの断面積よりも約３桁大きいことを特徴とする実施態様項１０７〜１１２のうちいずれか一に記載のガス供給ユニット用ハウジング。
［実施態様項１１４］  前記出口孔の断面積は、前記通気穴の全断面積よりも約１桁〜２桁大きいことを特徴とする実施態様項１０７〜１１３のうちいずれか一に記載のガス供給ユニット用ハウジング。
［実施態様項１１５］  前記通気穴は、前記通路の２つの互いに反対側の側部に配置されていることを特徴とする実施態様項１１２〜１１４のうちいずれか一に記載のガス供給ユニット用ハウジング。
［実施態様項１１６］  実質的に同数の通気穴が、前記互いに反対側の側部の各々に形成されていることを特徴とする実施態様項１１２〜１１５のうちいずれか一に記載のガス供給ユニット用ハウジング。
［実施態様項１１７］  前記通気穴の総数は、６５〜７５であることを特徴とする実施態様項１１２〜１１６のうちいずれか一に記載のガス供給ユニット用ハウジング。
［実施態様項１１８］  前記ガス流の前記経路に対する前記通気穴の前記角度は、実質的に垂直であることを特徴とする実施態様項１０７〜１１７のうちいずれか一に記載のガス供給ユニット用ハウジング。
［実施態様項１１９］  前記通気穴の各々は、他の前記通気穴と実質的に同一サイズのものであることを特徴とする実施態様項１１２〜１１８のうちいずれか一に記載のガス供給ユニット用ハウジング。
［実施態様項１２０］  前記出口孔の断面積は、実質的に２１０〜２７０ｍｍ2であることを特徴とする実施態様項１０７〜１１９のうちいずれか一に記載のガス供給ユニット用ハウジング。
［実施態様項１２１］  前記出口通路の内面に設けられた前記通気穴の各々の断面積は、実質的に０．２２ｍｍ2〜０．２６ｍｍ2であることを特徴とする実施態様項１１２〜１２０のうちいずれか一に記載のガス供給ユニット用ハウジング。
［実施態様項１２２］  前記出口通路の内面に設けられた前記通気穴の全断面積は、実質的に１５．００ｍｍ2〜１７．００ｍｍ2であることを特徴とする実施態様項１１２〜１２１のうちいずれか一に記載のガス供給ユニット用ハウジング。
［実施態様項１２３］  前記通気穴は、実質的に５°〜１５°の抜き勾配を備えていることを特徴とする実施態様項１０７〜１２２のうちいずれか一に記載のガス供給ユニット用ハウジング。
［実施態様項１２４］  前記通気穴は、実質的に１０°の抜き勾配を備えていることを特徴とする実施態様項１２３記載のガス供給ユニット用ハウジング。
［実施態様項１２５］  前記出口孔の断面は、全体として長方形であることを特徴とする実施態様項１０７〜１２４のうちいずれか一に記載のガス供給ユニット用ハウジング。
［実施態様項１２６］  前記ケーシングは、全体として円形の形態のものであり、前記出口通路は、前記ケーシングに対して接線の関係をなしていることを特徴とする実施態様項１０７〜１２５のうちいずれか一に記載のガス供給ユニット用ハウジング。
［実施態様項１２７］  前記入口孔は、使用の際、前記ケーシングの下側フェースに配置されることを特徴とする実施態様項１０７〜１２６のうちいずれか一に記載のガス供給ユニット用ハウジング。
［実施態様項１２８］  使用の際、加温加湿ガスをユーザに提供するシステムの一部をなすガス供給ユニットであって、
入口孔及び出口孔を備えたファンケーシングと、使用の際、前記ケーシング内部に配置されるファンとを有するファンユニットを有し、前記ファンユニットは、使用の際、前記出口孔を通って加圧ガス流を提供するようになっており、
使用の際、前記ファンを駆動するよう前記ファンユニットに連結できるようになったモータを有し、
前記ガス供給ユニットは、実施態様項１０７〜１２７のうちいずれか一に記載のハウジングを有することを特徴とするガス供給ユニット。
［実施態様項１２９］  加温加湿ガスをユーザに供給するのに適した医療用呼吸システムであって、
加圧ガス流を提供するようになったガス供給ユニットを有し、
加湿器チャンバを有し、前記加湿器チャンバは、使用の際、前記ガス供給ユニットに流体結合されて前記ガス流が前記加湿器チャンバ内に流入してこれを通過することができ、前記加湿器チャンバは、使用の際、前記ガス流が前記加湿器チャンバを通過する際に前記ガス流を加温すると共に加湿するよう加熱される所与の量の水を収容しており、
前記加温加湿ガス流をユーザに提供するようになった患者インターフェイスを有し、前記患者インターフェイスは、前記加湿器チャンバからの前記加温加湿ガスを前記ユーザに運ぶ導管を有し、
前記ガス供給ユニットは、
入口孔及び出口孔を備えたファンケーシングと、使用の際、前記ケーシング内部に配置されるファンとを有するファンユニットを有し、前記ファンユニットは、使用の際、前記出口孔を通って加圧ガス流を提供するようになっており、
使用の際、前記ファンを駆動するよう前記ファンユニットに連結できるようになったモータを有し、
前記ガス供給ユニットは、実施態様項１０７〜１２７のうちいずれか一に記載のハウジングを有することを特徴とする医療用呼吸システム。
［実施態様項１３０］  前記外側シェルは、使用の際、前記加湿器チャンバを少なくとも部分的に包囲するようになっていることを特徴とする実施態様項１２９記載の医療用呼吸システム。
［実施態様項１３１］  前記外側シェルと前記加湿器チャンバは、前記出口孔が使用の際、前記加湿器チャンバの入口ポートに直接結合できるよう相互に協働関係をなして構成されていることを特徴とする実施態様項１２９又は１３０記載の医療用呼吸システム。
［実施態様項１３２］  前記ガス供給ユニットは、ヒータープレートを有し、前記ガス供給ユニットは、使用の際、前記ヒータープレートに電力供給して前記所与の量の水を加熱することを特徴とする実施態様項１２９〜１３１のうちいずれか一に記載の医療用呼吸システム。
［実施態様項１３３］  使用の際、加温加湿ガスをユーザに提供するシステムの一部として用いられるのに適したガス供給ユニットの一部をなすファンユニットであって、
入口孔及び出口通路を備えたケーシングを有し、前記出口通路は、出口孔を含み、
前記ケーシング内に配置され、使用の際、前記ファンを回転駆動するモータに連結できるようになったファンを有し、前記ファンは、前記入口孔からガスを前記ケーシング内に引き込み、前記出口通路を通って前記ガスを前記ケーシングからガス流として送り出すようになっている、ファンユニットにおいて、
前記出口通路は、前記出口孔とは独立していて、前記出口通路を通る前記ガス流の経路に対して角度をなして配置された複数個の通気穴を有することを特徴とするファンユニット。
［実施態様項１３４］  前記出口通路及び前記通気穴は、前記出口通路の前記出口が実質的に塞がれた場合、使用の際に１つ又は複数個の前記通気穴を通る流量が前記出口通路を通る流量に一致し、その時点で、サージの開始が１つ又は複数の通気穴なしの実質的に類似すると共に実質的に塞がれた出口通路内で生じるように構成されていることを特徴とする実施態様項１３３記載のファンユニット。
［実施態様項１３５］  前記出口孔の断面積は、個々の前記通気穴のうちの任意の１つの断面積よりも約３桁大きいことを特徴とする実施態様項１３３又は１３４記載のファンユニット。
［実施態様項１３６］  前記出口孔の断面積は、前記通気穴のうちの任意の１つの通気穴の断面積よりも約１桁〜２桁大きいことを特徴とする実施態様項１３３〜１３５のうちいずれか一に記載のファンユニット。
［実施態様項１３７］  前記通気穴は、前記通路の２つの互いに反対側の側部に配置されていることを特徴とする実施態様項１３３〜１３６のうちいずれか一に記載のファンユニット。
［実施態様項１３８］  実質的に同数の通気穴が、前記互いに反対側の側部の各々に形成されていることを特徴とする実施態様項１３７記載のファンユニット。
［実施態様項１３９］  前記通気穴の総数は、６５〜７５であることを特徴とする実施態様項１３３〜１３８のうちいずれか一に記載のファンユニット。
［実施態様項１４０］  前記ガス流の前記経路に対する前記通気穴の前記角度は、実質的に垂直であることを特徴とする実施態様項１３３〜１３９のうちいずれか一に記載のファンユニット。
［実施態様項１４１］  前記通気穴の各々は、他の前記通気穴と実質的に同一サイズのものであることを特徴とする実施態様項１３３〜１４０のうちいずれか一に記載のファンユニット。
［実施態様項１４２］  前記出口孔の断面積は、実質的に２１０〜２７０ｍｍ2であることを特徴とする実施態様項１３３〜１４１のうちいずれか一に記載のファンユニット。
［実施態様項１４３］  前記出口通路の内面に設けられた前記通気穴の各々の断面積は、実質的に０．２２ｍｍ2〜０．２６ｍｍ2であることを特徴とする実施態様項１３３〜１４２のうちいずれか一に記載のファンユニット。
［実施態様項１４４］  前記出口通路の内面に設けられた前記通気穴の全断面積は、実質的に１５．００ｍｍ2〜１７．００ｍｍ2であることを特徴とする実施態様項１３３〜１４３のうちいずれか一に記載のファンユニット。
［実施態様項１５５］  前記通気穴は、実質的に５°〜１５°の抜き勾配を備えていることを特徴とする実施態様項１３３〜１４４のうちいずれか一に記載のファンユニット。
［実施態様項１５６］  前記通気穴は、実質的に１０°の抜き勾配を備えていることを特徴とする実施態様項１５５記載のファンユニット。
［実施態様項１５７］  前記ケーシングは、全体として円形の形態のものであり、前記出口通路は、前記ケーシングに対して接線の関係をなしていることを特徴とする実施態様項１３３〜１５６のうちいずれか一に記載のファンユニット。
［実施態様項１５８］  前記出口孔の断面は、全体として長方形であることを特徴とする実施態様項１３３〜１５７のうちいずれか一に記載のファンユニット。
［実施態様項１５９］  前記入口孔は、使用の際、前記ケーシングの下側フェースに配置されることを特徴とする実施態様項１３３〜１５８のうちいずれか一に記載のファンユニット。
［実施態様項１６０］  前記入口孔は、全体として、前記ケーシングの中心に配置されることを特徴とする実施態様項１５９記載のファンユニット。
［実施態様項１６１］  前記ファンは、羽根車ユニットであることを特徴とする実施態様項１３３〜１６０のうちいずれか一に記載のファンユニット。
［実施態様項１６２］  前記羽根車ユニットは、使用の際、前記羽根車ユニットを駆動するモータに連結できるようになったスピンドルを有し、前記スピンドルは、前記ケーシングの底部から出ていることを特徴とする実施態様項１６１記載のファンユニット。
【図１】
2011502019.tif 000003
【図２】
2011502019.tif 000004
【図３】
2011502019.tif 000005
【図４】
2011502019.tif 000006
【図５】
2011502019.tif 000007
【図６】
2011502019.tif 000008
【図７】
2011502019.tif 000009
【図８】
2011502019.tif 000010
【図９】
2011502019.tif 000011
【図１０】
2011502019.tif 000012
【図１１】
2011502019.tif 000013
【図１２】
2011502019.tif 000014
【図１３】
2011502019.tif 000015
【図１４】
2011502019.tif 000016
【図１５】
2011502019.tif 000017
【図１６】
2011502019.tif 000018
【図１７】
2011502019.tif 000019
【図１８】
2011502019.tif 000020
【図１９】
2011502019.tif 000021
【国際調査報告】
2011502019.tif 000022
2011502019.tif 000023